(57)【要約】【課題】フィルター等のシート状物の引張力への耐性を向上させるシート状物装着具を提供する。【解決手段】シート状物を装着対象物に装着する際に用いられるシート状物装着具１は、シート状物が装着対象物に装着されたときに、シート状物と装着対象物とに挟まれることとなる内部材１０と、内部材１０が嵌ることで内部材１０との間にシート状物を挟む外部材２０とを備え、内部材１０は、間隔をあけて相互に対向する一対の内側壁１１を有すると共に、内部材１０が装着対象物に接触した状態を保持可能な接触保持部材１５を有し、外部材２０は、シート状物を挟んで内部材１０が嵌ったときに一対の内側壁１１と協働してシート状物に圧縮力を作用させる一対の外側壁２１を有する。【選択図】図１
2016089925.tif 000002
【特許請求の範囲】
【請求項１】
シート状物を装着対象物に装着する際に用いられるシート状物装着具であって；
前記シート状物が前記装着対象物に装着されたときに、前記シート状物と前記装着対象物とに挟まれることとなる内部材と；
前記内部材が嵌ることで前記内部材との間に前記シート状物を挟む外部材とを備え；
前記内部材は、間隔をあけて相互に対向する一対の内側壁を有すると共に、前記内部材が前記装着対象物に接触した状態を保持可能な接触保持部材を有し；
前記外部材は、前記シート状物を挟んで前記内部材が嵌ったときに前記一対の内側壁と協働して前記シート状物に圧縮力を作用させる一対の外側壁を有する；
シート状物装着具。
【請求項２】
前記内部材が前記外部材に嵌ったときに、前記内側壁の端辺と前記外側壁の端辺とが実質的に揃うように構成された；
請求項１に記載のシート状物装着具。
【請求項３】
前記内部材が前記外部材に嵌った状態と前記内部材が前記外部材から外れた状態との間で移動可能に前記内部材と前記外部材とを接続するヒンジ部を備える；
請求項１又は請求項２に記載のシート状物装着具。
【請求項４】
前記内部材は、前記一対の内側壁をつなぐ内主部を有し；
前記外部材は、前記一対の外側壁をつなぐ外主部を有し；
前記内部材が前記外部材に嵌ったときに、前記内側壁及び前記ヒンジ部が接続されていない前記内主部の端部と、前記外側壁及び前記ヒンジ部が接続されていない前記外主部の端部との間に、隙間が形成されるように構成された；
請求項３に記載のシート状物装着具。
【請求項５】
前記外部材は、前記外側壁が延びる方向かつ前記内部材が嵌められたときの前記内部材に沿う方向に、前記外側壁の外側に突き出た外突出部を有し；
前記内部材が前記外部材に嵌った状態で前記一対の内側壁が平面に接触するように前記シート状物装着具を前記平面に載置したときに、前記平面と前記外突出部との間に隙間が形成されるように構成された；
請求項１乃至請求項４のいずれか１項に記載のシート状物装着具。
【発明の詳細な説明】
【技術分野】
【０００１】
本発明はシート状物装着具に関し、特にシート状物の引張力への耐性を向上させるシート状物装着具に関する。
【背景技術】
【０００２】
レンジフードは、油汚れ等を防ぐため、フィルターを装着して使用されることが多い。レンジフードへのフィルターの着脱を簡便にするものとして、以下のようなクリップがある。そのクリップは、くし歯が配設された挟み部が設けられた第１の挟み片及びくし歯が配設された挟み部が設けられた第２の挟み片がその中間部分同士でピン結合され、一対の挟み片には挟み部同士が接近するように付勢する板ばねが設けられ、第２の挟み片の裏側には磁石片が配設されたものであり、一対の挟み片のくし歯部分でフィルターを挟み、フィルターを挟んだクリップの磁石片をレンジフードに取り付けるようにして用いられる（例えば、特許文献１参照。）。
【先行技術文献】
【特許文献】
【０００３】
【特許文献１】特開２００７−３０９３９６号公報
【発明の概要】
【発明が解決しようとする課題】
【０００４】
しかしながら、くし歯でフィルターを挟むと、フィルターが油を吸って重くなった場合等、フィルターが損傷してクリップから脱落するおそれがある。
【０００５】
本発明は上述の課題に鑑み、フィルター等のシート状物の引張力への耐性を向上させるシート状物装着具を提供することを目的とする。
【課題を解決するための手段】
【０００６】
上記目的を達成するために、本発明の第１の態様に係るシート状物装着具は、例えば図１に示すように、シート状物Ｆ（例えば図２（Ｂ）参照）を装着対象物Ｒ（例えば図３参照）に装着する際に用いられるシート状物装着具１であって；シート状物Ｆが装着対象物Ｒに装着されたときに、シート状物Ｆと装着対象物Ｒとに挟まれることとなる内部材１０と；内部材１０が嵌ることで内部材１０との間にシート状物Ｆを挟む外部材２０とを備え；内部材１０は、間隔をあけて相互に対向する一対の内側壁１１を有すると共に、内部材１０が装着対象物Ｒに接触した状態を保持可能な接触保持部材１５を有し；外部材２０は、シート状物Ｆを挟んで内部材１０が嵌ったときに一対の内側壁１１と協働してシート状物Ｆに圧縮力を作用させる一対の外側壁２１を有する。
【０００７】
このように構成すると、シート状物が内側壁及び外側壁の面で保持されることとなり、シート状物の引張力への耐性を向上させることができる。
【０００８】
また、本発明の第２の態様に係るシート状物装着具は、例えば図１、図２（Ａ）及び図２（Ｂ）に示すように、上記本発明の第１の態様に係るシート状物装着具１において、内部材１０が外部材２０に嵌ったときに、内側壁１１の端辺１１ｔと外側壁２１の端辺２１ｔとが実質的に揃うように構成されている。
【０００９】
このように構成すると、シート状物を内側壁に沿って内側壁の端辺まで到達させることができ、装着対象物に対してシート状物を隙間なく装着することができる。
【００１０】
また、本発明の第３の態様に係るシート状物装着具は、例えば図１に示すように、上記本発明の第１の態様又は第２の態様に係るシート状物装着具１において、内部材１０が外部材２０に嵌った状態と内部材１０が外部材２０から外れた状態との間で移動可能に内部材１０と外部材２０とを接続するヒンジ部３０を備える。
【００１１】
このように構成すると、一方の部材が紛失してしまうことを回避することができる。
【００１２】
また、本発明の第４の態様に係るシート状物装着具は、例えば図１及び図２（Ａ）に示すように、上記本発明の第３の態様に係るシート状物装着具１において、内部材１０は、一対の内側壁１１をつなぐ内主部１３を有し；外部材２０は、一対の外側壁２１をつなぐ外主部２３を有し；内部材１０が外部材２０に嵌ったときに、内側壁１１及びヒンジ部３０が接続されていない内主部１３の端部１３ｅと、外側壁２１及びヒンジ部３０が接続されていない外主部２３の端部２３ｅとの間に、隙間Ｓ１（図２（Ａ）参照）が形成されるように構成されている。
【００１３】
このように構成すると、シート状物の着脱のために外部材から内部材を外す場合に、内主部の端部と外主部の端部との間の隙間を起点とすることができ、両部材を分離しやすくなる。
【００１４】
また、本発明の第５の態様に係るシート状物装着具は、例えば図１及び図２（Ａ）に示すように、上記本発明の第１の態様乃至第４の態様のいずれか１つの態様に係るシート状物装着具１において、外部材２０は、外側壁２１が延びる方向かつ内部材１０が嵌められたときの内部材１０に沿う方向に、外側壁２１の外側に突き出た外突出部２３ｅを有し；内部材１０が外部材２０に嵌った状態で一対の内側壁１１が平面Ｐに接触するようにシート状物装着具１を平面Ｐに載置したときに、平面Ｐと外突出部２３ｅとの間に隙間Ｓ２（図２（Ａ）参照）が形成されるように構成されている。
【００１５】
このように構成すると、外突出部を平面に向けて押すことで、内側壁の端辺の外突出部側の端部を支点として内部材が平面から離れるように動かすことができ、シート状物装着具を装着対象物に装着したときにシート状物装着具を装着対象物から外しやすくなる。
【発明の効果】
【００１６】
本発明によれば、シート状物が内側壁及び外側壁の面で保持されることとなり、シート状物の引張力への耐性を向上させることができる。
【図面の簡単な説明】
【００１７】
【図１】本発明の実施の形態に係るクリップの斜視図である。
【図２】（Ａ）は本発明の実施の形態に係るクリップの側面図、（Ｂ）は本発明の実施の形態に係るクリップの正面図である。
【図３】本発明の実施の形態に係るクリップの使用状態を示す図である。
【発明を実施するための形態】
【００１８】
以下、図面を参照して本発明の実施の形態について説明する。なお、各図において互いに同一又は相当する部材には同一あるいは類似の符号を付し、重複した説明は省略する。
【００１９】
まず図１を参照して、本発明の実施の形態に係るシート状物装着具としてのクリップ１を説明する。図１は、クリップ１の斜視図である。クリップ１は、内部材１０と、外部材２０と、ヒンジ部３０とを備えている。図１は、内部材１０が外部材２０から外れた状態を示している。なお、図２には、内部材１０が外部材２０に嵌った状態を示している。図２（Ａ）はクリップ１の側面図、図２（Ｂ）はクリップ１の正面図である。クリップ１は、図３に示すように、フィルターＦをレンジフードＲに装着する際に用いられるものである。本実施の形態では、フィルターＦがシート状物に相当し、レンジフードＲが装着対象物に相当する。フィルターＦは、典型的には、不織布で形成されていて弾性を有している。以下に、クリップ１の構成の詳細を説明する。
【００２０】
内部材１０は、内側壁１１と、内天板１３と、マグネット１５とを有している。内側壁１１は、板状の部材で形成されている。内部材１０は、２つの内側壁１１を有している。一対の内側壁１１は、間隔をあけて相互に向かい合って配設されている。各内側壁１１は、対向する一対の辺が平行で直線になっている。この、相互に平行な一対の直線のうち、一方が内側壁底辺１１ｔとなっている。内側壁１１は、内側壁底辺１１ｔに沿った長さが、内側壁底辺１１ｔとその対向する辺との距離よりも長く形成されている。各内側壁１１は、正面視（図２（Ｂ）参照）において、高さ方向Ｈの中央部分が外側に膨らむように湾曲している。
【００２１】
内天板１３は、一対の内側壁１１をつなぐ板状の部材であり、内主部に相当する。内天板１３は、各内側壁１１の、内側壁底辺１１ｔに対向する辺に接続されている。すなわち、図２（Ａ）に示すように、一対の内側壁１１の内側壁底辺１１ｔが平面Ｐに接するように内部材１０を平面Ｐに載置したときに、一対の内側壁１１の、平面Ｐから遠い方の辺を、内天板１３がつなぐように構成されている。平面Ｐは、レンジフードＲの一部である。内天板１３は、側面視（図２（Ａ）参照）において、一方の端部は内側壁１１の端部に揃っており、他方の端部は内側壁１１の端部から突き出ている。この、内天板１３の内側壁１１の端部から突き出た部分を、内突出部１３ｅということとする。内突出部１３ｅは、内天板１３の一部である。内突出部１３ｅは、内側壁底辺１１ｔが延びる方向に突き出ている。内突出部１３ｅは、内側壁１１から遠ざかるにつれて平面Ｐに近づくように傾斜している。本実施の形態では、内突出部１３ｅが、内側壁１１の平面Ｐから遠い方の辺を延長した仮想延長線に対して、概ね３０度の角度をもって傾斜している。内突出部１３ｅは、末端が平面Ｐに接触しないように構成されている。つまり、内部材１０は、内側壁底辺１１ｔ全体が平面Ｐに接するように載置したときに、内側壁底辺１１ｔ及びマグネット１５以外の部分が平面Ｐに接触しないように構成されている。本実施の形態では、内側壁底辺１１ｔ全体を平面Ｐに接触させたときの、内突出部１３ｅの末端と平面Ｐとの距離である内端隙間Ｓ３は、内側壁１１の高さの約１／３〜１／２となっている。
【００２２】
マグネット１５は、クリップ１をレンジフードＲに付けたときに、クリップ１から手を離してもクリップ１がレンジフードＲに接触した状態を保持できるようにするものであり、接触保持部材に相当する。マグネット１５は、直方体状に形成されている。マグネット１５は、一対の内側壁１１に挟持されている。マグネット１５は、内天板１３から最も遠い面が、内側壁底辺１１ｔに対して実質的に揃っている。すなわち、内側壁底辺１１ｔ全体を平面Ｐに接触させたときに、マグネット１５の一面が実質的に平面Ｐに接触するようになっている。マグネット１５の一面が内側壁底辺１１ｔに対して実質的に揃っている（実質的に平面Ｐに接触する）とは、フィルターＦを挟んだクリップ１をレンジフードＲに付けてレンジフードＲを作動させたときに、クリップ１がレンジフードＲから外れないようにマグネット１５の磁力をレンジフードＲに作用させることができる範囲で、マグネット１５の一面と内側壁底辺１１ｔとがずれている場合を含むものである。マグネット１５の平面Ｐに沿った長さ及び高さは、必要な磁力を得られる範囲で適宜決定すればよい。本実施の形態では、マグネット１５は、少なくとも内突出部１３ｅ側では内側壁１１から突出しない長さに形成されている。
【００２３】
外部材２０は、外側壁２１と、外天板２３とを有している。外側壁２１は、板状の部材で形成されている。外部材２０は、２つの外側壁２１を有している。一対の外側壁２１は、間隔をあけて相互に向かい合って配設されている。各外側壁２１は、対向する一対の辺が平行で直線になっている。この、相互に平行な一対の直線のうち、一方が外側壁底辺２１ｔとなっている。外側壁２１は、外側壁底辺２１ｔに沿った長さが、外側壁底辺２１ｔとその対向する辺との距離よりも長く形成されている。本実施の形態では、外側壁２１の外側壁底辺２１ｔに沿った長さが、内側壁１１の内側壁底辺１１ｔに沿った長さと概ね同じになっている。各外側壁２１は、正面視（図２（Ｂ）参照）において、高さ方向Ｈの中央部分が外側に膨らむように湾曲している。一対の外側壁２１の間隔は、内部材１０を両内側壁１１の部分で挟持することができる間隔となっている。
【００２４】
外天板２３は、一対の外側壁２１をつなぐ板状の部材であり、外主部に相当する。外天板２３は、各外側壁２１の、外側壁底辺２１ｔに対向する辺に接続されている。すなわち、図２（Ａ）に示すように、一対の外側壁２１の外側壁底辺２１ｔが平面Ｐに近づくように、平面Ｐに載置されている内部材１０に対して外部材２０を嵌めたときに、一対の外側壁２１の、平面Ｐから遠い方の辺を、外天板２３がつなぐように構成されている。本実施の形態では、内部材１０が外部材２０の内側に嵌ったときに、一対の内側壁１１の外面と一対の外側壁２１の内面とが面で接すると共に、内天板１３の外面と外天板２３の内面とが面で接するように構成されている。内部材１０及び外部材２０は、マグネット１５を除き、典型的にはポリプロピレン等の合成樹脂で形成されており、弾性を有している。このため、内部材１０と外部材２０とは、着脱可能に構成されている。また、外側壁２１は、内部材１０が外部材２０に嵌ったときに、外側壁底辺２１ｔが内側壁底辺１１ｔに実質的に揃う大きさに形成されている。ここで、内側壁底辺１１ｔと外側壁底辺２１ｔとが実質的に揃うとは、内側壁底辺１１ｔと外側壁底辺２１ｔとが一致する状態のほか、クリップ１をレンジフードＲの平面Ｐに装着したときに、フィルターＦの厚み分、外側壁底辺２１ｔが平面Ｐから離れる範囲までを含むことを意味している。
【００２５】
外天板２３は、側面視（図２（Ａ）参照）において、一方の端部は外側壁２１の端部に揃っており、他方の端部は外側壁２１の端部から突き出ている。この、外天板２３の外側壁２１の端部から突き出た部分を、外突出部２３ｅということとする。外突出部２３ｅは、外天板２３の一部である。外突出部２３ｅは、外部材２０と内部材１０とが嵌合したときに、内突出部１３ｅが突出する方向と同じ方向に突き出ている。つまり、外突出部２３ｅは、外側壁２１が延びる方向（外側壁２１の長手方向）、かつ、内部材１０の一部である内突出部１３ｅに沿う方向に突き出ている。外突出部２３ｅは、外部材２０に嵌った内部材１０の内側壁底辺１１ｔ全体を平面Ｐに接触させたときの、平面Ｐから外天板２３までの長さ以上、外側壁２１から突き出ている。外突出部２３ｅは、外部材２０と内部材１０とが嵌合したときに、平面視において内突出部１３ｅを包含する大きさに形成されている。外突出部２３ｅは、先端がわずかに下がっている。本実施の形態では、平面Ｐに載置されている内部材１０に対して外部材２０を嵌めたときの、外突出部２３ｅの末端と平面Ｐとの距離である取外隙間Ｓ２は、内側壁１１の高さの約５／６〜４／５となっている。したがって、内部材１０に対して外部材２０を嵌めたときに、内突出部１３ｅと外突出部２３ｅとの間に隙間（この隙間を以下「分離隙間Ｓ１」という。）が形成されることとなる。外突出部２３ｅの端部は、内突出部１３ｅ側の内側壁底辺１１ｔの端点（以下「内側壁端支点１１ｆ」という。）と内突出部１３ｅの端部とを通る仮想直線ＶＬよりも、上（平面Ｐから遠い側）に位置している。
【００２６】
ヒンジ部３０は、内部材１０と外部材２０とを接続する部材である。ヒンジ部３０は、薄板状の部材が、側面視（図２（Ａ）参照）においてヘアピン状に曲がって形成されている。ヒンジ部３０は、一端が内天板１３の内突出部１３ｅとは反対側の端部に接続され、他端が外天板２３の外突出部２３ｅとは反対側の端部に接続されている。ヒンジ部３０は、ヘアピン状の曲がった部分が、内突出部１３ｅ及び外突出部２３ｅから最も遠い位置になるように、内側壁１１及び外側壁２１から突き出ている。ヒンジ部３０は、本実施の形態では、内部材１０及び外部材２０と同じ材質（典型的にはポリプロピレン等の合成樹脂）で、内部材１０及び外部材２０と一体的に形成されている。したがって、ヒンジ部３０は、弾性を有している。ヒンジ部３０は、内部材１０及び外部材２０よりも薄く形成されており、弾性変形の範囲が内部材１０及び外部材２０よりも大きくなっている。ヒンジ部３０は、内部材１０と外部材２０とが離れるように広げると、内部材１０と外部材２０とを近づける方向の応力が作用する。なお、ヒンジ部３０は、内部材１０及び／又は外部材２０と一体的に形成されずに内部材１０及び／又は外部材２０に対して接着あるいは融着等によって接続されることとしてもよい。また、ヒンジ部３０は、内部材１０及び／又は外部材２０と異なる材質で形成されていてもよい。
【００２７】
引き続き図１乃至図３を参照して、クリップ１の作用を説明する。前述のように、クリップ１は、フィルターＦをレンジフードＲに装着する際に用いられるものである。そこで、所定の大きさ（レンジフードＲに装着するのに適した大きさ）に切断されたフィルターＦをレンジフードＲに装着するのに適した数のクリップ１を用意する。図３に示す例では、長方形のフィルターＦに対して、四隅と、一対の長辺の中点にそれぞれ１個ずつ取り付けるべく、６個のクリップ１を用いている。必要な数のクリップ１を用意したら、各クリップ１を開いた状態にする。なお、クリップ１が開いた状態とは、図１に示すように、内部材１０が外部材２０から外れた状態である。他方、図２（Ａ）に示すように、内部材１０が外部材２０に嵌った状態を、クリップ１が閉じた状態ということとする。クリップ１が閉じた状態から開いた状態にするとき、閉じた状態において、内突出部１３ｅと外突出部２３ｅとの間に分離隙間Ｓ１が形成されているので、分離隙間Ｓ１を基点として簡便にクリップ１を開いた状態にすることができる。ちなみに、分離隙間Ｓ１を基点としてクリップ１を開いた状態にするには、内突出部１３ｅと外突出部２３ｅとをそれぞれ別の手の指先で摘んで広げるか、一方の手でヒンジ部３０を掴みつつ他方の手の親指と人差し指（人差し指に代えて中指でもよい）を分離隙間Ｓ１に入れて各指の腹を入れ替えるように交差させることが挙げられる。
【００２８】
各クリップ１を開いた状態にしたら、フィルターＦの所定の位置に当て、内部材１０と外部材２０とでフィルターＦを挟んでクリップ１を閉じた状態にする。このとき、すべてのクリップ１において、フィルターＦの一方の面に内部材１０があり、フィルターＦの他方の面に外部材２０があるようにする。また、フィルターＦの端部（長方形を形成する辺）が、ヒンジ部３０のヘアピン状の曲がった部分に当たるようにすると、フィルターＦで内部材１０全体を覆うことができて好適である。クリップ１に挟まれたフィルターＦは、内側壁１１及び外側壁２１に面で接触しており、さらに本実施の形態では内天板１３及び外天板２３に面で接触している。このため、フィルターＦがクリップ１から受ける押さえ力（圧縮力）が広範囲に分散されることとなる。したがって、フィルターＦに引張力が作用した場合に、フィルターＦを点で保持した場合に生じ得る穴あき発生を抑制することができ、フィルターＦの引張力への耐性を向上させることができる。
【００２９】
フィルターＦの所定の位置にクリップ１を取り付けたら、各クリップ１のマグネット１５を、レンジフードＲの強磁性体で形成されている枠に接触させる。すると、マグネット１５はレンジフードＲに引きつけられ、クリップ１から手を離してもクリップ１に挟まれたフィルターＦがレンジフードＲから落下しなくなる。ここで、マグネット１５は、前述のように、内天板１３から最も遠い面が、内側壁底辺１１ｔに対して実質的に揃っているので、マグネット１５とレンジフードＲとが引き合う力を最大化することができる。また、フィルターＦを挟んで閉じた状態となったクリップ１は、外側壁底辺２１ｔが内側壁底辺１１ｔに実質的に揃っている。このため、クリップ１を介してレンジフードＲに取り付けられたフィルターＦは、図２（Ｂ）に示すように、クリップ１まわりにおいて、内側壁１１に沿って内側壁底辺１１ｔまで下がることとなる。したがって、レンジフードＲに対してフィルターＦを隙間なく装着することができる。よって、レンジフードＲに吸い込まれる排気を確実にフィルターＦに通すことができる。
【００３０】
レンジフードＲに装着されたフィルターＦの交換時期が来たら、フィルターＦを挟んでいるクリップ１をレンジフードＲから外すことで、フィルターＦをレンジフードＲから外せばよい。クリップ１をレンジフードＲから外すには、外部材２０の外突出部２３ｅを、レンジフードＲに向けて押せばよい。外突出部２３ｅを押すと、クリップ１は、内側壁端支点１１ｆを支点として、内突出部１３ｅ及び外突出部２３ｅが平面Ｐに近づき、ヒンジ部３０が平面Ｐから遠ざかるように動く。このようにクリップ１が動くことで、内側壁端支点１１ｆ以外の内側壁底辺１１ｔが平面Ｐから離れる。外突出部２３ｅを押して、内突出部１３ｅ及び外突出部２３ｅが平面Ｐに近づいていくと、先に内突出部１３ｅが平面Ｐに当たる。この時点で、平面Ｐには内側壁端支点１１ｆと内突出部１３ｅとの２点が当たることとなり、２点の支持で安定してクリップ１の動きが一旦止まる。このとき、内側壁端支点１１ｆ以外の内側壁底辺１１ｔが平面Ｐから離れており、マグネット１５も平面Ｐから離れているため、クリップ１を手にとって容易にレンジフードＲから離すことができる。あるいは、クリップ１が平面Ｐに２点支持されている状態で、外突出部２３ｅをさらに押し込んでもよい。外突出部２３ｅをさらに押し込むと、内側壁端支点１１ｆが平面Ｐから離れて不安定な状態となり、フィルターＦを挟んだクリップ１がレンジフードＲから落下する。このようにすると、片手で外突出部２３ｅを押すだけで、クリップ１をレンジフードＲから離脱させることができる。クリップ１をレンジフードＲから外したら、前述の要領で、各クリップ１を閉じた状態から開いた状態にし、フィルターＦを新たなものに付け替え、各クリップ１を閉じた状態にして、レンジフードＲに装着すればよい。
【００３１】
以上で説明したように、本実施の形態に係るクリップ１によれば、フィルターＦを内側壁１１及び外側壁２１の面、並びに内天板１３及び外天板２３の面で支持するので、フィルターＦの引張力への耐性を向上させることができる。また、クリップ１が閉じた状態のときに、外側壁底辺２１ｔが内側壁底辺１１ｔに実質的に揃っているので、レンジフードＲに対してフィルターＦを隙間なく装着することができる。また、クリップ１がヒンジ部３０を備えるので、内部材１０と外部材２０とが離散することを防ぐことができる。また、クリップ１が閉じた状態のときに、内突出部１３ｅと外突出部２３ｅとの間に分離隙間Ｓ１が形成されるように構成されているので、簡便にクリップ１を開いた状態にすることができる。また、フィルターＦを挟んだクリップ１がレンジフードＲに取り付けられた状態のときに、外突出部２３ｅと平面Ｐとの間に取外隙間Ｓ２が形成されつつ内突出部１３ｅと平面Ｐとの間に内端隙間Ｓ３が形成されているので、外突出部２３ｅを平面Ｐに向けて押すだけで簡便にクリップ１をレンジフードＲから外すことができる。
【００３２】
以上の説明では、クリップ１がヒンジ部３０を備えていることとしたが、ヒンジ部３０を備えずに内部材１０と外部材２０とが接続されていない構成であってもよい。内部材１０と外部材２０とが接続されていない構成とすると、内部材１０と外部材２０とを別々に製造することができ、あるいは内部材１０と外部材２０とを別々に製造したものを接続しなくて済み、製造が簡便になって製造効率を向上させることができる。他方、上述したクリップ１のように内部材１０と外部材２０とがヒンジ部３０で接続された構成とすると、内部材１０及び外部材２０の一方が紛失してしまうことを回避することができる。
【００３３】
以上の説明では、接触保持部材としてのマグネット１５が、一対の内側壁１１の間に設けられていることとしたが、内側壁１１の内側壁底辺１１ｔに沿った部分がマグネットで構成されていてもよい。この場合、マグネットが、内側壁１１の一部と接触保持部材とを兼ねることとなる。また、以上の説明では、接触保持部材がマグネットであるとしたが、面ファスナー等で構成されていてもよい。接触保持部材が面ファスナーで構成されている場合は、レンジフードＲのクリップ１を取り付ける部分が強磁性体以外で形成されていても、取り付けることができる。
【００３４】
以上の説明では、内天板１３が、一対の内側壁１１の内側壁底辺１１ｔに対向する辺に接続されていることとしたが、一対の内側壁１１の面内に接続されていてもよい。また、一対の内側壁１１を接続する部材は、内天板１３のような板状の部材に限らず、棒状の部材を複数用いて接続することとしてもよい。一対の外側壁２１を接続する部材も、外天板２３のような板状の部材に限らず、棒状の部材を複数用いて接続することとしてもよい。しかしながら、内側壁底辺１１ｔに対向する辺に内天板１３が接続され、一対の外側壁２１が外天板２３で接続されていると、フィルターＦを挟んで内部材１０を外部材２０に嵌めたときに、フィルターＦをより広い面で支持することができる。
【００３５】
以上の説明では、マグネット１５以外のクリップ１の材質として、典型的にはポリプロピレン等の合成樹脂が用いられるとしたが、ポリプロピレン以外の合成樹脂が用いられてもよく、金属が用いられてもよい。
【００３６】
以上の説明では、シート状物がフィルターＦであり、装着対象物がレンジフードＲであるとしたが、これら以外のものにクリップ１を用いることもできる。
【符号の説明】
【００３７】
１    クリップ
１０  内部材
１１  内側壁
１１ｔ  内側壁底辺
１３  内天板
１３ｅ  内突出部
１５  マグネット
２０  外部材
２１  外側壁
２１ｔ  外側壁底辺
２３  外天板
２３ｅ  外突出部
３０  ヒンジ部
Ｆ    フィルター
Ｒ    レンジフード
Ｓ１  分離隙間
Ｓ２  取外隙間
【図１】
2016089925.tif 000003
【図２】
2016089925.tif 000004
【図３】
2016089925.tif 000005